(57)【要約】【課題】装着された光ディスクの規格を正確に判別できる光ディスク装置を提供する。【解決手段】本発明では、装着された光ディスク１２に対してレンズホルダ１６をフォーカス方向に加振させつつＢＤ規格のレーザー光を照射してＦＥ信号の変化量を算出し、ＤＶＤ規格のレーザー光を照射してＦＥ信号の変化量を算出している。更に、これらの変化量を除算することで算出される指標を基に、光ディスク１２の規格を判別している。これにより、所謂フェイクの悪影響を受けずに光ディスクを判別することができるので、正確に規格の判別を行うことが出来る。【選択図】図１
2014120193.tif 000002
【特許請求の範囲】
【請求項１】
第１波長の第１レーザー光と、前記第１波長よりも波長が長い第２波長の第２レーザー光を照射する発光素子と、
前記第１レーザー光に対応した規格の第１光ディスクまたは前記第２レーザー光に対応した規格の第２光ディスクである光ディスクに対して、前記第１レーザー光または前記第２レーザー光を集光する対物レンズと、
前記対物レンズを移動可能に保持するレンズ駆動装置と、
前記光ディスクで反射した前記第１レーザー光および前記第２レーザー光を受光して、受光した前記両レーザー光の光量に応じた信号を出力する受光素子と、
前記信号に基いて、前記光ディスクが前記第１光ディスクまたは前記第２光ディスクであること判別する判別部と、を備え、
前記判別部は、前記第１レーザー光を前記光ディスクに照射させつつ前記対物レンズをフォーカス方向に移動させることで変化する前記受光素子の信号値の変化量である第１算出値を算出し、
前記第２レーザー光を前記光ディスクに照射させつつ前記対物レンズをフォーカス方向に移動させることで変化する前記受光素子の信号値の変化量である第２算出値を算出し、
前記第１算出値と前記第２算出値とで除算を行うことで第３算出値を算出し、
前記第３算出値を基に、前記光ディスクが前記第１ディスク又は前記第２光ディスクであるかを判別することを特徴とする光ディスク装置。
【請求項２】
前記判別は、前記第３算出値と閾値とを比較することで行うことを特徴とする請求項１に記載の光ディスク装置。
【請求項３】
前記第１算出値は、前記第１レーザー光に基づく前記信号値の振幅であり、
前記第２算出値は、前記第２レーザー光に基づく前記信号値の振幅であることを特徴とする請求項１または請求項２に記載の光ディスク装置。
【請求項４】
前記信号値は、フォーカスエラー信号であることを特徴とする請求項１から請求項３の何れかに記載の光ディスク装置。
【請求項５】
前記判別部では、
前記第３算出値が前記閾値よりも大きい場合は、前記光ディスクが前記第１光ディスクであると判別し、
前記第３算出値が前記閾値以下である場合は、前記光ディスクが前記第１光ディスクではないと判別することを特徴とする請求項２から請求項４の何れかに記載の光ディスク装置。
【請求項６】
前記判別部は、前記第３算出値が前記閾値よりも大きく、且つ、前記第１レーザー光に基づく前記信号値が所定の値より大きい場合に、前記光ディスクが前記第１光ディスクであると判別することを特徴とする請求項５に記載の光ディスク装置。
【請求項７】
前記判別部は、前記第１光ディスクおよび前記第２光ディスクに加えて、前記前記第１レーザー光および前記第２レーザー光よりも波長が長い第３レーザー光に対応した規格の第３光ディスクも判別し、
前記第３算出値が前記閾値以下であり、且つ、前記第２算出値が所定量よりも大きい場合は、前記光ディスクが前記第２光ディスクであると判別し、
そうでない場合は、前記光ディスクが前記第３光ディスクであると判別することを特徴とする請求項５または請求項６に記載の光ディスク装置。
【請求項８】
前記対物レンズは、複数の規格の前記レーザー光を前記光ディスクの情報記録層に合焦させることを特徴とする請求項１から請求項７の何れかに記載の光ディスク装置。
【発明の詳細な説明】
【技術分野】
【０００１】
本発明は光ディスク装置に関し、特に、複数の規格の光ディスクからの情報の読出し等を行う光ディスク装置に関する。
【背景技術】
【０００２】
光ピックアップ装置から照射されるレーザー光を、光ディスクの信号記録層に照射することによって、信号の読み出し動作や信号の記録動作を行う光ディスク装置が普及している。
【０００３】
この光ディスク装置では、光ディスクの径方向に沿って移動する光ピックアップ装置を用いて、光ディスクに対する情報の読み書きが行われる。具体的には、光ピックアップ装置に内蔵されるレーザーダイオードから所定の波長のレーザー光が放射され、対物レンズによりこのレーザー光が光ディスクの情報記録層に合焦される。情報記録層で反射した戻り光のレーザー光を受光素子で受光することで、光ディスクに記録された情報の読出しが行われる。
【０００４】
光ディスクには、ＢＤ規格、ＤＶＤ規格およびＣＤ規格のものがあり、光ディスク装置で光ディスクからの情報の読出し等を行う際には、光ディスク装置に装着された光ディスクが、これらのどの規格のものであるかを判別する必要がある。
【０００５】
装着された光ディスクの規格を判別する方法としては種々のものが提案されている（特許文献１）。図６および図７を参照して、従来から存在する光ディスクの判別方法を説明する。図６に示すフローチャートは信号値の時間差から光ディスクの規格を判別する方法を示し、図７に示すフローチャートは信号の大きさで光ディスクの規格を判別する方法を示す。
【０００６】
図６を参照して、信号値の時間差から光ディスクの規格を判別する方法を説明する。具体的な判別方法は、先ず、光ディスクを光ディスク装置にセットして回転させ（ステップＳ１００）、対物レンズを保持するレンズホルダをフォーカス方向に加振してＢＤモードに設定する（ステップＳ１０１、Ｓ１０２）。次に、ＬＤチップからＢＤ規格のレーザー光を光ディスクに照射して反射したレーザー光を受光素子で検出する（ステップＳ１０３）。更に、受光素子からの出力に基いてＴ１およびＴ２を測定する（ステップＳ１０４）。ここで、フローチャートの下の表を参照して、Ｔ１とは、光ディスクの表面が検出された時点と情報記録層が検出された時点との時間差である。Ｔ２とは、所謂フェイクが検出された時点と情報記録層が検出された時点との時間差である。検出されたＴ１およびＴ２を設計値と比較し（ステップＳ１０５）、これらの値が設計値に近かったら（ステップＳ１０５のＹＥＳ）ディスクはＢＤ規格のものであると判別される（ステップＳ１０６）。
【０００７】
一方、検出されたＴ１およびＴ２が設計値と離れていたら（ステップＳ１０５のＮＯ）ディスクはＢＤ規格では無いと判断する（ステップＳ１０７）。そして、ＤＶＤモードとした後に（ステップＳ１０８）、ＤＶＤ規格のレーザー光を光ディスクに照射して反射した光を受光素子で受光し、受光素子の出力から上記と同様にＴ１およびＴ２を計測する（ステップＳ１０９、Ｓ１１０）。そして、計測されたＴ１およびＴ２が設計値に近かったら（ステップＳ１１１のＹＥＳ）、ディスクはＤＶＤ規格と判別される（ステップＳ１１２）。一方、これらの値が設計値から離れていたら（ステップＳ１１１のＮＯ）、ディスクはＢＤ規格でもＤＶＤ規格でもないので、ディスクはＣＤ規格と判断され（スッテプＳ１１３）、判別作業は終了する（ステップＳ１１４）。
【０００８】
図７を参照して、得られる信号の大きさで光ディスクの規格を判別する方法を説明する。ここでの判別方法は、時間値ではなく出力値を用いる以外は、図６を参照して上記した方法と同じである。
【０００９】
具体的には、ＢＤモードで加振させ受光素子からの出力を測定する（ステップＳ２００、Ｓ２０１、Ｓ２０２、Ｓ２０３）。得られた出力値から、ＲＦ、ＦＥ、ＲＦ／ＦＥを算出する（ステップＳ２０４）。ここで、ＲＦは受光素子を構成する各領域の出力値を加算して算出される。一方、ＦＥとは受光素子の各領域の出力値から算出されるフォーカスエラー信号である。また、ＲＦ／ＦＥとはＲＦをＦＥで除算した値である。これらの値が設計値に近ければ（ステップＳ２０５のＹＥＳ）ディスクはＢＤと判別され（ステップＳ２０６）、これらの値が設計値と離れていたら（ステップＳ２０５のＮＯ）ディスクはＢＤではないと判別される（ステップＳ２０７）。その後、ＤＶＤモードに切り替えてＤＶＤ規格のレーザー光を発光させる（ステップＳ２０８、Ｓ２０９）。更に、上記と同様にＲＦ、ＦＥ、ＲＦ／ＦＥを算出し（ステップＳ２１０）、これらの値と設計値とを比較し（ステップＳ２１１）、設計値に近かったら（ステップＳ２１１のＹＥＳ）ディスクはＤＶＤ規格と判別される。一方、これらの値が設計値から離れていたら（ステップＳ２１１のＮＯ）ディスクはＣＤ規格と判別され（ステップＳ２１３）、判別作業は終了する（ステップＳ２１４）。
【先行技術文献】
【特許文献】
【００１０】
【特許文献１】特開２００９−２４５５４０号公報
【発明の概要】
【発明が解決しようとする課題】
【００１１】
しかしながら、上記したディスクの判別方法では、ディスクの規格を適切に判別できない恐れがあった。具体的には、図６の波形図を参照して、ディスク厚を示す時間差がＴ１の場合はＢＤ規格の光ディスクであると判別される。しかしながら、多波長対物レンズで発生するフェイクにより、ディスク厚を示す時間差がＴ２であると判断されると、ディスクの規格を適切に判別できない恐れが有る。更には、ディスクの表面の反射率の誤差に起因して判別精度が劣化する恐れもあった。
【００１２】
また、この様な恐れを排除して判別の制度を高めるために、図６に示した判別方式と、図７に示した判別方式とを組み合わせて判別する複合方式も提案されている。しかしながら、この複合方式であると、ディスクの判別方法が複雑になる場合があった。
【００１３】
本発明は上記した課題を鑑みて成され、本発明の目的は、装着された光ディスクの規格を正確に判別できる光ディスク装置を提供することにある。
【課題を解決するための手段】
【００１４】
本発明の光ディスク装置は、第１波長の第１レーザー光と、前記第１波長よりも波長が長い第２波長の第２レーザー光を照射する発光素子と、前記第１レーザー光に対応した規格の第１光ディスクまたは前記第２レーザー光に対応した規格の第２光ディスクである光ディスクに対して、前記第１レーザー光または前記第２レーザー光を集光する対物レンズと、前記対物レンズを移動可能に保持するレンズ駆動装置と、前記光ディスクで反射した前記第１レーザー光および前記第２レーザー光を受光して、受光した前記両レーザー光の光量に応じた信号を出力する受光素子と、前記信号に基いて、前記光ディスクが前記第１光ディスクまたは前記第２光ディスクであること判別する判別部と、を備え、前記判別部は、前記第１レーザー光を前記光ディスクに照射させつつ前記対物レンズをフォーカス方向に移動させることで変化する前記受光素子の信号値の変化量である第１算出値を算出し、前記第２レーザー光を前記光ディスクに照射させつつ前記対物レンズをフォーカス方向に移動させることで変化する前記受光素子の信号値の変化量である第２算出値を算出し、前記第１算出値と前記第２算出値とで除算を行うことで第３算出値を算出し、前記第３算出値を基に、前記光ディスクが前記第１ディスク又は前記第２光ディスクであるかを判別することを特徴とする。
【発明の効果】
【００１５】
本発明によれば、第１レーザー光を光ディスクに照射して得られた信号値を、波長の異なる第２レーザー光を光ディスクに照射して得られた信号値で除算することより得られた算出値を基にディスクの規格を判別している。この算出値はディスクの情報記録層の反射率と等価であるため、このような算出値を用いることで光ディスクの規格を正確に判別できる。
【図面の簡単な説明】
【００１６】
【図１】本発明の光ディスク装置を示す図であり、（Ａ）は光ディスク装置の構成を示す図であり、（Ｂ）および（Ｃ）は受光素子の受光領域を示す図である。
【図２】本発明の光ディスク装置を示す図であり、（Ａ）−（Ｃ）はＢＤ規格のディスクを装着した場合のＲＦ信号およびＦＥ信号を示すグラフであり、（Ｄ）−（Ｆ）は対物レンズと光ディスクとの位置関係を示す図である。
【図３】本発明の光ディスク装置を示す図であり、（Ａ）−（Ｃ）はＤＶＤ規格のディスクを装着した場合のＲＦ信号およびＦＥ信号を示すグラフである。
【図４】本発明の光ディスク装置を示す図であり、（Ａ）−（Ｃ）はＣＤ規格のディスクを装着した場合のＲＦ信号およびＦＥ信号を示すグラフである。
【図５】本発明の光ディスク装置を示す図であり、ディスクの判別方法を示すフローチャートである。
【図６】背景技術に係る光ディスク装置でのディスクの判別方法を示すフローチャートである。
【図７】背景技術に係る光ディスク装置でのディスクの判別方法を示すフローチャートである。
【発明を実施するための形態】
【００１７】
図１を参照して、本形態の光ディスク装置１０を説明する。図１（Ａ）は光ディスク装置１０の構成を示す図であり、図１（Ｂ）および図１（Ｃ）は受光素子の出力からＲＦ信号およびＦＥ信号を算出する方法を示す図である。
【００１８】
図１（Ａ）を参照して、光ディスク装置１０は、光ピックアップ装置３０と、制御部２４と、ドライバ２６とレンズ駆動装置２８とを主要に備えている。光ピックアップ装置３０は、光ディスク１２の情報記録層に所定の規格のレーザー光を照射し、光ディスク１２で反射したレーザー光を受光することにより、光ディスク１２の情報の読み書きを行う機能を有する。
【００１９】
光ピックアップ装置３０は、発光素子２０と、ビームスプリッタ１８と、受光素子２２と、対物レンズ１４を保持するレンズホルダ１６とを備えている。光ピックアップ装置３０で光ディスク１２に対して情報の読み書きを行う方法は次のとおりである。先ず、レーザー光は、発光素子２０から放射され、ビームスプリッタ１８を透過した後に、対物レンズ１４で光ディスク１２の情報記録層に合焦される。光ディスク１２の情報記録層で反射した戻り光のレーザー光は、ビームスプリッタ１８で反射した後にフォーカス制御に用いる非点収差が非点収差板により付与され、受光素子２２に照射される。実際の光ディスク装置１０では、枠状のシャーシに対して光ピックアップ装置３０がガイド軸を介して移動可能に支持されている。
【００２０】
受光素子２２は、レーザー光が照射される面に受光領域を備えており、光電変換により受光信号を生成して制御部２４に出力する。
【００２１】
制御部２４は、受光素子２２の出力を受けて、ＲＦ信号およびＦＥ信号を生成する。ここで、ＲＦ信号とは光ディスク１２の情報記録層を読み取った読み取り信号を受光したレーザー光量を示すラジオ周波（あるいは高周波）信号であり、ＦＥ信号とはレーザー光の焦点と光ディスク１２の信号記録層とのずれ量を示すフォーカスエラー信号である。更に制御部２４は、ＲＦ信号に対して復調処理等を行った後に、この信号を外部の機器に出力する。一方、ＦＥ信号は非点収差法によるフォーカス制御に対応した演算により生成されドライバ２６に出力される。
【００２２】
本形態では、制御部２４は、受光素子２２の出力から光ディスク１２の規格を判別する判別部を備えている。この判別部では、上記したＲＦ信号およびＦＥ信号に基いて、光ディスク装置１０に装着された光ディスク１２の規格を判別する。具体的には、光ディスク１２が、ＢＤ規格、ＤＶＤ規格またはＣＤ規格の何れかであるかが判別される。
【００２３】
ドライバ２６は、制御部２４が出力するＦＥ信号に基づいて、レンズホルダ１６に備えられたコイルに流す電流を生成する。
【００２４】
レンズ駆動装置２８は、支持ワイヤを介してレンズホルダ１６を移動可能な状態で支持している。レンズホルダ１６の周囲には不図示のマグネットが配置されているので、レンズホルダ１６に備えられた駆動コイルに、支持ワイヤを経由して電流が供給されることにより、レンズホルダ１６は所定方向に変位する。具体的には、レンズホルダ１６は、ラジアル方向（トラッキング方向）およびフォーカス方向に変位する。
【００２５】
ここで、上記した受光素子２２は、図２（Ｂ）に示すように、田の字状に分割された複数の受光領域Ａ、Ｂ、Ｃ、Ｄから成る。そして、上記したＲＦ信号は、以下の式１で算出される。
式１：ＲＦ＝Ａ＋Ｂ＋Ｃ＋Ｄ
また、図２（Ｃ）を参照して、ＦＥ信号は、以下の式２で算出される。
式２：ＦＥ＝（Ａ＋Ｃ）−（Ｂ＋Ｄ）
本形態で使用されるレーザー光の規格としては、ＢＤ規格（青紫色（青色）波長帯４００ｎｍ〜４２０ｎｍ（例えば４０５ｎｍ））、ＤＶＤ規格（赤色波長帯６４５ｎｍ〜６７５ｎｍ（例えば、６５５ｎｍ））またはＣＤ規格（赤外波長帯７６５ｎｍ〜８０５ｎｍ（例えば、７８５ｎｍ））が採用される。また、光ディスク装置１０に装着される光ディスク１２としても、ＢＤ規格、ＤＶＤ規格またはＣＤ規格の何れかが採用される。
【００２６】
本形態では、対物レンズ１４は複数波長のレーザー光に対応しており、ＢＤ規格、ＤＶＤ規格およびＣＤ規格のレーザー光を光ディスク１２の情報記録層に集光させる。ここで、レンズホルダ１６には必ずしも３つの波長のレーザー光に対応する１つの対物レンズ１４が備えられる必要はない。例えば、ＢＤ規格のレーザー光を合焦する対物レンズ１４と、ＣＤ規格およびＤＶＤ規格のレーザー光を合焦する対物レンズ１４が、レンズホルダ１６に設けられても良い。
【００２７】
次に、図２から図４を参照して、光ディスクおよびレーザー光の規格、ＦＥ信号およびＲＦ信号の関係を説明する。これらのグラフは、ＢＤ規格、ＤＶＤ規格およびＣＤ規格の光ディスクに対して、各規格のレーザー光を照射しつつレンズホルダをフォーカス方向に加振させてＦＥ信号およびＲＦ信号を計測した結果を示す。
【００２８】
各グラフでは、横軸は時間軸であり、縦軸はＦＲ信号またはＦＥ信号の大きさを示している。また、図２はＢＤ規格の光ディスクに対して各規格のレーザー光を照射した場合を示し、図３はＤＶＤ規格の光ディスクに各規格のレーザー光を照射した場合を示し、図４はＣＤ規格の光ディスクに各規格のレーザー光を照射した場合を示している。更に、図２から図４では、（Ａ）はＢＤ規格のレーザー光を照射した場合を示し、（Ｂ）はＤＶＤ規格のレーザー光を照射した場合を示し、（Ｃ）はＣＤ規格のレーザー光を照射した場合を示す。更に、これらのグラフでは、ＲＦ信号を実線で示し、ＦＥ信号を点線で示す。
【００２９】
図２を参照して、ＢＤ規格の光ディスクに各規格のレーザー光を照射した場合のＦＥ信号およびＲＦ信号の変化を説明する。
【００３０】
図２（Ａ）を参照して、ＢＤ規格の光ディスクに対して、ＢＤ規格のレーザー光を照射させつつ、フォーカス方向にレンズホルダを加振させると、ＲＦ信号およびＦＥ信号の値はグラフ上の三箇所（Ｐ１、Ｐ２、Ｐ３）にて変化する。Ｐ１、Ｐ２およびＰ３の時の対物レンズ１４と光ディスク１２との関係は、夫々が、図２（Ｄ）、図２（Ｅ）および図２（Ｆ）に対応している。即ち、Ｐ１では、ＢＤ規格のレーザー光が、ＢＤ規格用の焦点以外の不正位置で焦点を結んでしまい、この焦点が光ディスク１２の表面で反射している。このような現象は一般的にフェイクと呼ばれている。Ｐ２では、正規の位置で焦点を結ぶＢＤ規格のレーザー光が光ディスク１２の表面で反射している。Ｐ３では、正規の位置で焦点を結ぶＢＤ規格のレーザー光が、光ディスクの情報記録層１２Ａで反射している。
【００３１】
本形態では、Ｐ３で計測されたＦＥ信号を用いてディスク判別を行なっている。即ち、レンズホルダの加振により得られたこれらの信号の中でも、最も値が大きいものを用いている。
【００３２】
図２（Ｂ）は、ＢＤ規格のディスクに対してＤＶＤ規格のレーザー光を照射させつつレンズホルダを加振させ、ＦＥ信号およびＲＦ信号を計測した結果を示している。このグラフから明らかなように、図２（Ａ）の場合と同様に、Ｐ１、Ｐ２およびＰ３でＦＥ信号およびＲＦ信号が変動している。また、ここでのＦＥ信号およびＲＦ信号の大きさは、図２（Ａ）の場合と比較すると小さくなる。この理由は、ＢＤ規格の光ディスクの情報記録層での反射率は、ＢＤ規格のレーザー光では大きく、ＤＶＤ規格のレーザー光では小さいからである。
【００３３】
図２（Ｃ）はＢＤ規格の光ディスクに対してＣＤ規格のレーザー光を照射した場合を示している。この場合でも、Ｐ１、Ｐ２およびＰ３の時点でＦＥ信号およびＲＦ信号が変化し、これらの値の変動する大きさは、ＢＤレーザー光を照射した場合と比較して小さい。
【００３４】
本形態では、上記したＦＥ信号の大きさの相違に着目してディスクの判別を行なっている。具体的には、ＢＤ規格のレーザー光を、ＢＤ規格の光ディスクの情報記録層に照射した際のＦＥの振幅をＢＤ−ＢＤ＿ＦＥ（第１算出値）とする。また、ＤＶＤ規格のレーザー光を、ＢＤ規格の光ディスクの情報記録層に照射した際のＦＥの振幅をＢＤ−ＤＶＤ＿ＦＥ（第２算出値）とする。そして、以下の式３を用いて算出される指標（第３算出値）が閾値よりも大きいか否かで、装着された光ディスクの規格がＢＤ規格か否かを判断する。この閾値としては例えば「１」を採用することが出来る。図から明らかなように、ＢＤ−ＢＤ＿ＦＥは、ＢＤ−ＤＶＤ＿ＦＥよりも十分に大きいので、この図に示す場合では、算出される指標は閾値（例えば１）よりも大きくなる。
式３：（ＢＤ−ＢＤ＿ＦＥ）÷（ＢＤ−ＤＶＤ＿ＦＥ）
図３に、光ディスク装置にＤＶＤ規格の光ディスクを装着し、図２の場合と同様にＢＤ規格のレーザー光、ＤＶＤ規格のレーザー光およびＣＤ規格のレーザー光を照射してＦＥ信号およびＲＦ信号を計測した結果を示す。
【００３５】
これらの図から明らかなように、各グラフに於いてＰ１、Ｐ２およびＰ３の時点でＦＥ信号およびＲＦ信号の値が変動している。また、Ｐ３の時点でのＦＥ信号およびＲＦ信号の変動の大きさは、ＤＶＤ規格のレーザー光を照射した場合（図３（Ｂ））が、ＢＤ規格およびＣＤ規格の場合（図３（Ａ）、図３（Ｃ））と比較して大きい。これは、ＤＶＤ規格の情報記録層のＤＶＤ規格のレーザー光に対する反射率が、ＢＤ規格およびＣＤ規格のレーザー光に対する反射率よりも大きいからである。
【００３６】
この場合、ＢＤ規格のレーザー光をＤＶＤ規格の光ディスクの情報記録層に照射した際のＦＥ信号の振幅（ＤＶＤ−ＢＤ＿ＦＥ）（図３（Ａ）参照）は、ＤＶＤ規格のレーザー光をＤＶＤ規格の光ディスクの情報記録層に照射した際のＦＥ信号の振幅（ＤＶＤ−ＤＶ＿ＦＥ）よりも小さい。よって、以下の式４で算出される指標は閾値（たとば「１」）よりも小さくなる。
式４：（ＤＶＤ−ＢＤ＿ＦＥ）÷（ＤＶＤ−ＤＶ＿ＦＥ）
図４に、光ディスク装置にＣＤ規格の光ディスクを装着し、図２や図３の場合と同様にＢＤ規格のレーザー光、ＤＶＤ規格のレーザー光およびＣＤ規格のレーザー光を照射してＦＥ信号およびＦＲ信号を計測した結果を示す。
【００３７】
図４（Ａ）から図４（Ｃ）を参照して明らかなように、ＣＤ規格の光ディスクの情報記録層にＣＤ規格のレーザー光を照射した際のＦＥ信号の振幅が最も大きい。これは、ＣＤ規格の光ディスクの情報記録層の反射率がＣＤ規格のレーザー光に対して最も大きいからである。
【００３８】
上記のように、ＦＥ信号の振幅は、装着される光ディスクの規格によって大きく相違するので、本形態では、この相違を反映する式３や式４を用いて光ディスクの規格を判別している。
【００３９】
図５のフローチャートを参照して、上記した各図も言及しつつ、本形態の光ディスク装置を用いたディスクの判別方法を説明する。ここでは、光ディスクに装着された光ディスクの規格は、ＢＤ規格、ＤＶＤ規格またはＣＤ規格の何れかであるものとする。
【００４０】
先ず、光ディスク装置のターンテーブルに光ディスクを装着して所定の速度で回転させる（ステップＳ１０）。このとき、装着された光ディスクの規格は不明である。
【００４１】
次に、ＢＤモードに設定して、内蔵された発光素子からＢＤ規格のレーザー光を光ディスクに照射しつつ、対物レンズを保持するレンズホルダをフォーカス方向に加振する（ステップＳ１１、Ｓ１２、Ｓ１３）。そして、光ディスクで反射したレーザー光を受光素子（ＰＤ）で検出して、ＢＤ規格のレーザー光を用いたＦＥ信号およびＲＦ信号を検出する。
【００４２】
次に、ＤＶＤモードに切り替えた後に（ステップＳ１５）、レンズホルダをフォーカス方向に加振させつつ、発光素子からＤＶＤ規格のレーザー光を光ディスクに照射する（ステップＳ１６）。光ディスクで反射したＤＶＤ規格のレーザー光を受光素子で受光することで、ＤＶＤ規格のレーザー光を用いたＦＥ信号およびＲＦ信号を検出する。
【００４３】
次に、装着された光ディスクがＢＤ規格であるか否かの判断を行う。具体的には、上記した式３にて指標を算出し、算出された指標と閾値とを比較する。そして、算出された指標が閾値よりも大きければ（ステップＳ１８のＹＥＳ）、装着された光ディスクはＢＤ規格のものであると判断する。
【００４４】
本形態では、装着された光ディスクがＢＤ規格のものであれば、ＢＤ規格のＦＥ信号の振幅がＤＶＤ規格のものよりも大きくなる。逆に、装着された光ディスクがＤＶＤ規格のものであれば、ＢＤ規格のＦＥ信号の振幅がＤＶＤ規格のものよりも小さくなる。よって、上記した閾値として１を採用することで、ディスク規格を良好に判別できる。
【００４５】
ここで、上記した指標のみによりディスクを判別しても良いが、指標に加えてＢＤ規格のＦＥ信号の振幅の大きさも加味して、ＢＤ規格のディスクか否かの判断を行なっても良い。これは、装着された光ディスクがＣＤ規格のものである場合に、ＣＤ規格の光ディスクを誤ってＢＤ規格のものと判別しないためである。具体的には、図４（Ａ）および図４（Ｂ）を参照すると、ＣＤ規格の光ディスクに対しては、ＢＤ規格のレーザー光を照射した場合も、ＤＶＤ規格のレーザー光を照射した場合も、ＦＥ信号の振幅は共に小さい。この場合、上記した式３で算出される指標が閾値よりも大きくなり、本来はＣＤ規格である光ディスクの規格を誤ってＢＤ規格と判別してしまう恐れが有る。これを防止するために、ＢＤ規格のレーザー光を照射することで得られたＦＥ信号（ＦＥ＿ＢＤ）の振幅が、予め決められた閾値よりも大きいか否かで判別を行なっている。即ち、ＦＥ＿ＢＤの値が閾値よりも大きい場合、装着された光ディスクの規格をＢＤ規格と判別する。
【００４６】
よって、ＦＥ＿ＢＤの振幅も考慮する場合は、上記した式３による指標が閾値よりも大きく、且つ、ＦＥ＿ＢＤの振幅が所定の値よりも大きい場合に（ステップＳ１８のＹＥＳ）、装着されたディスクはＢＤ規格であると判断する（スッテプＳ１９）。一方、算出された指標が閾値以下か、或いは、ＦＥ＿ＢＤの振幅が閾値以下であれば、光ディスクはＢＤ規格のものではないと判断される（ステップＳ１８のＮＯ）。
【００４７】
装着された光ディスクのＢＤ規格のものではないと判断されたら（ステップＳ１８のＮＯ）、光ディスクがＤＶＤ規格またはＣＤ規格のどちらかを判断する（ステップＳ２１）。具体的には、上記した式３で算出される指標が閾値よりも小さく、且つ、ＦＥ＿ＤＶＤの値が所定の値よりも大きいと（ステップＳ２１のＹＥＳ）、光ディスクの規格はＤＶＤ規格と判断され、そうでない場合は（ステップＳ２１のＮＯ）ＣＤ規格と判断される（ステップＳ２２）。
【００４８】
上記各ステップにより、装着された光ディスクの規格が判別され、その後に光ディスクに対する情報の読出しが行われる。
【００４９】
上記した実施の形態は次のように変更することも可能である。
【００５０】
例えば、上記形態では、規格が異なるレーザー光を照射することで計測されたＦＥ信号を用いて、光ディスク装置に装着された光ディスクを判別したが、ＦＥ信号に替えてＲＦ信号を用いることも可能である。ＲＦ信号を用いることに依っても、ＲＦ信号もＦＥ信号と同様にディスの情報記録層の反射率を反映しているので、上記と同様の効果が奏される。
【符号の説明】
【００５１】
１０   光ディスク装置
１２   光ディスク
１２Ａ 情報記録層
１４   対物レンズ
１６   レンズホルダ
１８   ビームスプリッタ
２０   発光素子
２２   受光素子
２４   制御部
２６   ドライバ
２８   レンズ駆動装置
３０   光ピックアップ装置
【図１】
2014120193.tif 000003
【図２】
2014120193.tif 000004
【図３】
2014120193.tif 000005
【図４】
2014120193.tif 000006
【図５】
2014120193.tif 000007
【図６】
2014120193.tif 000008
【図７】
2014120193.tif 000009